(57)【要約】【課題】所望の番組コンテンツの視聴状態からそれ以外の状態に一時的に遷移した場合に、所望の番組コンテンツの視聴状態に復帰するための操作を容易にすると共に、番組コンテンツの視聴に関する利用者の意思を反映した復帰制御を可能にする。【解決手段】放送受信用携帯端末装置１０は、当該端末装置に関する端末状態を検出する端末状態検出部（電池残量検出部２２、端末開閉検出部２３、端末使用状況確認部２４、アンテナ伸縮検出部２６など）と、放送波を受信するチューナ３３における受信状態を検出する放送受信状態検出部２７とを備え、制御部２８は、受信した放送波に含まれる番組コンテンツを視聴可能な視聴動作状態から一旦視聴動作を停止した際、端末状態及び受信状態が所定の視聴復帰条件を満たす場合に、番組コンテンツの視聴動作を復帰させるための視聴復帰モード（チャネル復帰モード、圏内復帰モード）に移行する。【選択図】図１
2008010931.tif 000002
【特許請求の範囲】
【請求項１】
無線信号の放送波を受信して放送波に含まれる番組コンテンツの再生と記録の少なくとも一方を行う機能を備えた放送受信用携帯端末装置であって、
当該端末装置に関する端末状態を検出する端末状態検出部と、
前記放送波を受信する受信部における受信状態を検出する放送受信状態検出部と、
受信した前記放送波に含まれる番組コンテンツを視聴可能な視聴動作状態から一旦視聴動作を停止した際、前記端末状態及び前記受信状態が所定の視聴復帰条件を満たす場合に、前記番組コンテンツの視聴動作を復帰させるための視聴復帰モードに移行する動作モード制御部と
を備える放送受信用携帯端末装置。
【請求項２】
請求項１に記載の放送受信用携帯端末装置であって、
前記動作モード制御部は、前記視聴復帰モードとして、利用者の操作により一旦視聴動作を終了した後、所定時間後に前記所定の視聴復帰条件を満たす場合に視聴復帰動作を行うチャネル復帰モードの機能を有する放送受信用携帯端末装置。
【請求項３】
請求項２に記載の放送受信用携帯端末装置であって、
前記動作モード制御部は、前記チャネル復帰モードにおいて、利用者からの復帰設定用の特定の操作入力を検出した後に、他の放送波のチャネルへの切り替え操作、他の機能への切り替え操作、放送受信の終了操作の少なくとも一つを含む操作によって一旦視聴動作を終了した後、所定時間経過した場合に、前記所定の視聴復帰条件を満たすときに前記視聴復帰動作を行う放送受信用携帯端末装置。
【請求項４】
請求項１に記載の放送受信用携帯端末装置であって、
前記動作モード制御部は、前記視聴復帰モードとして、当該端末装置における前記番組コンテンツの放送波の受信状態が悪化したことにより一旦視聴動作を終了した後、再び前記番組コンテンツを視聴可能な状態になった際、前記所定の視聴復帰条件を満たす場合に視聴復帰動作を行う圏内復帰モードの機能を有する放送受信用携帯端末装置。
【請求項５】
請求項４に記載の放送受信用携帯端末装置であって、
前記動作モード制御部は、前記圏内復帰モードにおいて、当該端末装置が放送受信圏外となって利用者の操作または自己の動作制御によって一旦視聴動作を終了した後、放送受信圏内となって視聴可能な状態になった場合に、前記所定の視聴復帰条件を満たすときに前記視聴復帰動作を行う放送受信用携帯端末装置。
【請求項６】
請求項１に記載の放送受信用携帯端末装置であって、
前記端末状態検出部は、放送波の受信用アンテナの収納状態、当該端末装置の筐体の開閉状態、電源の電池残量状態、所定時間における利用者の操作入力状態のうちの少なくとも一つに関する状態情報を検出する放送受信用携帯端末装置。
【請求項７】
請求項１に記載の放送受信用携帯端末装置であって、
前記動作モード制御部は、前記視聴復帰モードにおいて判定する前記視聴復帰条件として、視聴動作終了前と復帰時とにおける復帰対象の番組コンテンツの一致、当該端末装置の使用状態、復帰対象の番組コンテンツの受信状態のうちの少なくとも一つを用いる放送受信用携帯端末装置。
【請求項８】
請求項７に記載の放送受信用携帯端末装置であって、
前記動作モード制御部は、前記視聴復帰条件として番組コンテンツの一致を用いる場合、視聴動作終了前に受信していた番組コンテンツと現在受信した番組コンテンツとの一致を判定し、同じ番組コンテンツである場合にのみ、前記視聴動作を復帰させるための視聴復帰動作を行う放送受信用携帯端末装置。
【請求項９】
請求項７に記載の放送受信用携帯端末装置であって、
前記動作モード制御部は、前記視聴復帰条件として端末装置の使用状態を用いる場合、放送波の受信用アンテナが収納されている場合、当該端末装置の筐体が閉じられている場合、電源の電池残量が所定値以下の場合、利用者による操作入力が所定時間以上検出されない場合、番組コンテンツの記録部の残量が所定値以下の場合のうちの少なくとも一つの条件が満たされる場合に、前記視聴動作を復帰させるための視聴復帰動作を実行不可とする放送受信用携帯端末装置。
【請求項１０】
請求項１に記載の放送受信用携帯端末装置であって、
前記動作モード制御部は、前記視聴動作を復帰させるための視聴復帰動作として、以前の番組コンテンツの視聴動作に復帰可能であることを知らせる通知動作、以前の番組コンテンツの受信再生動作、以前の番組コンテンツの記録動作のうちの少なくとも一つの動作を行う放送受信用携帯端末装置。
【請求項１１】
請求項１０に記載の放送受信用携帯端末装置であって、
前記動作モード制御部は、前記視聴復帰動作として前記通知動作を行った際、復帰を許可する所定の操作入力が検出された場合にのみ、以前の番組コンテンツの受信再生動作と記録動作のうちの少なくとも一方を実行する放送受信用携帯端末装置。
【請求項１２】
請求項１に記載の放送受信用携帯端末装置であって、
前記動作モード制御部は、前記視聴動作を一旦停止した際、予め設定登録された特定の機能を実行する放送受信用携帯端末装置。
【請求項１３】
請求項４に記載の放送受信用携帯端末装置であって、
前記放送波とは異なる他の無線信号を受信する第２の受信部を備え、
前記動作モード制御部は、前記放送波の受信状態とともに、前記他の無線信号の受信状態を含む複数の受信状態について、同時にこれらの受信状態の悪化が検出された場合にのみ、前記圏内復帰モードに移行する放送受信用携帯端末装置。
【発明の詳細な説明】
【技術分野】
【０００１】
本発明は、無線信号の放送波を受信して放送波に含まれる番組コンテンツの再生と記録の少なくとも一方を行う機能を備えた放送受信用携帯端末装置に関する。
【背景技術】
【０００２】
最近の携帯端末装置では、様々な機能の一部として、テレビ放送やラジオ放送のような電波（放送波）を受信する機能を搭載し、放送波に含まれる番組コンテンツの再生や記録が可能な携帯端末装置（例えば携帯電話端末）が開発されている。
【０００３】
このような持ち運びが容易な放送受信用携帯端末装置の利用環境としては、例えば利用者が電車などで移動している時にテレビやラジオで放送されている番組コンテンツをリアルタイムで再生し視聴したり、又は待ち合わせの時に視聴するなど、比較的空いた時間に使用することが想定される。
【０００４】
つまり、移動中などの暇をつぶす際に、テレビやラジオで放送される番組コンテンツを視聴することになる。このような環境においては、一般的な利用者は目的の番組を視聴できない時間があると、その時間を通常よりも（家庭内における視聴と比べて）長く感じてしまう。実際には、番組コンテンツの中にある興味のないコーナーやシーンなどの時間帯や、放送電波の届く受信可能圏外に移動した場合に、利用者は目的の番組を一時的に視聴できなくなる。
【０００５】
従って、番組中の興味のないコーナーやシーンの時間帯になったり、受信圏外になって目的の番組を受信できない状態になると、放送の受信動作を一旦終了させて、例えばメールを使用するためのアプリケーションプログラムを起動したり、その他の機能を実現するためのアプリケーションプログラムを起動する場合が多い。あるいは、視聴する放送のチャネルを切り替えて、それまでとは異なる番組コンテンツを視聴し、しばらく時間が経過した後で、再び以前視聴していた番組の視聴を試みることになる。
【０００６】
このため、番組中の興味のないコーナーやシーンが放送されている時間帯になったり、受信圏外になって目的の番組を受信できない状態になる度に、利用者は煩わしい入力操作を行わざるを得ず、非常に操作性が悪い。
【０００７】
そこで、例えば特許文献１に開示された従来技術においては、あるチャネルの放送を視聴中に興味のないコーナーやシーンが放送されると他のチャネルに移動すると共に、移動後の時間を計測し、一定時間が経過してから視聴者が行うスイッチの操作、またはマイクからの音声入力で元のチャネルへ簡単に復帰させることを提案している。
【０００８】
また、特許文献２に開示された従来技術においては、圏内／圏外認識部によって、移動局装置が基地局装置と通信可能な圏内から圏外又は圏外から圏内に移動したことを認識し、この認識時に、移動局装置が圏内から圏外又は圏外から圏内に移動したことを、圏内／圏外情報通知部が音又は振動で利用者に通知することを提案している。
【０００９】
【特許文献１】特開２００３−８７６６７号公報
【特許文献２】特開２０００−３０７６９０号公報
【発明の開示】
【発明が解決しようとする課題】
【００１０】
例えば、特許文献１の従来技術を実施するためには番組中の興味のないコーナーやシーンの正確な検出が不可欠であるが、このようなシーンを自動的に検出するのは現状では困難であるため、自動的な制御については実現の可能性が低いという問題点がある。また、例えば目的の番組を視聴している状態から受信チャネルを切り替えて２番目の番組を一時的に視聴している状態で、目的の番組中の興味のないコーナーやシーンが終了したか否かを常時監視するためには、複数の番組を同時受信するために少なくとも２つの受信機（チューナ）を搭載する必要があり、消費電力の増大や装置コストの増大が避けられない。また、利用者が電車や自動車などで移動しながら番組を視聴している環境では、マイク等を用いて音声入力を行うのは困難である。
【００１１】
また、例えば特許文献２の従来技術では、単に受信圏内か圏外かに応じて元の番組の視聴状態に復帰するので、必ずしも望ましい状況で元の視聴状態に復帰する訳ではない。例えば、元の視聴状態に復帰した時点で、過去に視聴していた番組コンテンツが既に終了している場合もあるし、過去に視聴していた番組コンテンツの放送が継続していた場合であっても、視聴を一時停止していた時間が長くなると、目的の番組コンテンツであってもそれの視聴を再開する意思が全くなくなる場合もある。例えば、電車や自動車などで移動中に、距離の長いトンネルを通過するような場合には、長い時間に渡って放送電波を受信できない状態になる。従って、その時点で利用者が視聴を希望していない場合であっても、元の視聴状態に復帰するための処理が自動的に行われてしまうことになり、利用者にとってあまり有益でない可能性もある。
【００１２】
本発明は、上記事情に鑑みてなされたもので、所望の番組コンテンツの視聴状態からそれ以外の状態に一時的に遷移した場合に、所望の番組コンテンツの視聴状態に復帰するための操作を容易にすると共に、番組コンテンツの視聴に関する利用者の意思を反映した復帰制御が可能な放送受信用携帯端末装置を提供することを目的とする。
【課題を解決するための手段】
【００１３】
本発明の放送受信用携帯端末装置は、無線信号の放送波を受信して放送波に含まれる番組コンテンツの再生と記録の少なくとも一方を行う機能を備えた放送受信用携帯端末装置であって、当該端末装置に関する端末状態を検出する端末状態検出部と、前記放送波を受信する受信部における受信状態を検出する放送受信状態検出部と、受信した前記放送波に含まれる番組コンテンツを視聴可能な視聴動作状態から一旦視聴動作を停止した際、前記端末状態及び前記受信状態が所定の視聴復帰条件を満たす場合に、前記番組コンテンツの視聴動作を復帰させるための視聴復帰モードに移行する動作モード制御部とを備えるものである。
【００１４】
この構成により、放送波に含まれる番組コンテンツを視聴可能な視聴動作状態から一旦視聴動作を停止し、それ以外の状態に一時的に遷移した場合に、その後もとの視聴可能な状態となるように番組コンテンツの視聴動作を復帰させるための視聴復帰モードに移行する際、端末状態及び受信状態が所定の視聴復帰条件を満たすことによって復帰の可否を決定し、視聴復帰動作等を実行することで、所望の番組コンテンツの視聴状態に復帰するための操作を容易にすると共に、目的とする番組コンテンツの視聴に関する利用者の意思を反映した復帰制御が可能になる。
【００１５】
また、本発明は、上記の放送受信用携帯端末装置であって、前記動作モード制御部は、前記視聴復帰モードとして、利用者の操作により一旦視聴動作を終了した後、所定時間後に前記所定の視聴復帰条件を満たす場合に視聴復帰動作を行うチャネル復帰モードの機能を有するものとする。
【００１６】
この構成により、利用者の操作により一旦視聴動作を終了して他の状態に一時的に遷移した場合に、視聴復帰条件に応じて視聴復帰動作を行うチャネル復帰モードに移行することで、所望の番組コンテンツの視聴状態に復帰するための操作を容易にすると共に、目的とする番組コンテンツの視聴に関する利用者の意思を反映した復帰制御が可能になる。
【００１７】
また、本発明は、上記の放送受信用携帯端末装置であって、前記動作モード制御部は、前記チャネル復帰モードにおいて、利用者からの復帰設定用の特定の操作入力を検出した後に、他の放送波のチャネルへの切り替え操作、他の機能への切り替え操作、放送受信の終了操作の少なくとも一つを含む操作によって一旦視聴動作を終了した後、所定時間経過した場合に、前記所定の視聴復帰条件を満たすときに前記視聴復帰動作を行うものとする。
【００１８】
この構成により、利用者より復帰設定用の特定の操作入力があってから一旦視聴動作を終了した場合に、所定時間経過して視聴復帰条件を満たすときには、視聴復帰動作を実行することで、所望の番組コンテンツの視聴状態に復帰するための操作を容易にすると共に、目的とする番組コンテンツの視聴に関する利用者の意思を反映した復帰制御が可能になる。このとき、経過時間を測定する所定時間を、例えば番組中の興味のないコーナーやシーンの長さなどに設定しておけば、このようなシーンの時間帯だけ一時的に視聴を停止して視聴動作を復帰させるようなことも可能である。
【００１９】
また、本発明は、上記の放送受信用携帯端末装置であって、前記動作モード制御部は、前記視聴復帰モードとして、当該端末装置における前記番組コンテンツの放送波の受信状態が悪化したことにより一旦視聴動作を終了した後、再び前記番組コンテンツを視聴可能な状態になった際、前記所定の視聴復帰条件を満たす場合に視聴復帰動作を行う圏内復帰モードの機能を有するものとする。
【００２０】
この構成により、番組コンテンツの放送波の受信状態の悪化により一旦視聴動作を終了して他の状態に一時的に遷移した場合に、視聴復帰条件に応じて視聴復帰動作を行う圏内復帰モードに移行することで、所望の番組コンテンツの視聴状態に復帰するための操作を容易にすると共に、目的とする番組コンテンツの視聴に関する利用者の意思を反映した復帰制御が可能になる。
【００２１】
また、本発明は、上記の放送受信用携帯端末装置であって、前記動作モード制御部は、前記圏内復帰モードにおいて、当該端末装置が放送受信圏外となって利用者の操作または自己の動作制御によって一旦視聴動作を終了した後、放送受信圏内となって視聴可能な状態になった場合に、前記所定の視聴復帰条件を満たすときに前記視聴復帰動作を行うものとする。
【００２２】
この構成により、例えば利用者が移動するなどして、放送受信圏外となって一旦視聴動作を終了した場合に、再び放送受信圏内となって視聴可能な状態になり、視聴復帰条件を満たすときには視聴復帰動作を実行することで、所望の番組コンテンツの視聴状態に復帰するための操作を容易にすると共に、目的とする番組コンテンツの視聴に関する利用者の意思を反映した復帰制御が可能になる。
【００２３】
また、本発明は、上記の放送受信用携帯端末装置であって、前記端末状態検出部は、放送波の受信用アンテナの収納状態、当該端末装置の筐体の開閉状態、電源の電池残量状態、所定時間における利用者の操作入力状態のうちの少なくとも一つに関する状態情報を検出するものとする。
【００２４】
この構成により、アンテナの収納状態や筐体の開閉状態、電源の状態、入力状態などの端末装置の各種状態を表す状態情報に応じて、視聴復帰動作を行うことができ、利用者の意思やそのときの状況に応じた適切な復帰制御が可能となる。例えば、アンテナの収納状態や筐体の開閉状態、入力状態などによって利用者が視聴を復帰させたいか否かの意思を推測できるため、これらの状態情報を用いて利用者の意思を反映した視聴復帰動作を行える。また、例えば電源の状態によって視聴復帰動作を行っても問題ないかどうかを判定可能である。
【００２５】
また、本発明は、上記の放送受信用携帯端末装置であって、前記動作モード制御部は、前記視聴復帰モードにおいて判定する前記視聴復帰条件として、視聴動作終了前と復帰時とにおける復帰対象の番組コンテンツの一致、当該端末装置の使用状態、復帰対象の番組コンテンツの受信状態のうちの少なくとも一つを用いるものとする。
【００２６】
この構成により、番組コンテンツの一致、当該端末装置の使用状態、復帰対象の番組コンテンツの受信状態による視聴復帰条件によって、視聴復帰動作を行うことができ、利用者の意思やそのときの状況に応じた適切な復帰制御が可能となる。例えば、番組コンテンツが視聴動作終了前と復帰時とで異なる場合は、利用者が視聴継続する意思はあまりなく、視聴復帰させるのは有効ではないとみなし、視聴復帰動作を行わないようにできる。また、端末装置の使用状態によって、利用者の意思や状況に応じた復帰制御が行える。また、復帰対象の番組コンテンツの受信状態が良好で視聴可能な状態の場合にのみ、視聴復帰動作を行うことができる。
【００２７】
また、本発明は、上記の放送受信用携帯端末装置であって、前記動作モード制御部は、前記視聴復帰条件として番組コンテンツの一致を用いる場合、視聴動作終了前に受信していた番組コンテンツと現在受信した番組コンテンツとの一致を判定し、同じ番組コンテンツである場合にのみ、前記視聴動作を復帰させるための視聴復帰動作を行うものとする。
【００２８】
この構成により、番組コンテンツが視聴動作終了前と復帰時とで一致した場合にのみ視聴復帰動作を実行することで、同一の番組コンテンツが継続しているときは利用者が視聴継続する意思があるとみなし、適切に復帰動作を行うことができる。一方、番組コンテンツが異なる場合は、利用者が視聴継続する意思はあまりなく、視聴復帰させるのは有効ではないとみなし、視聴復帰動作を行わないようにできる。
【００２９】
また、本発明は、上記の放送受信用携帯端末装置であって、前記動作モード制御部は、前記視聴復帰条件として端末装置の使用状態を用いる場合、放送波の受信用アンテナが収納されている場合、当該端末装置の筐体が閉じられている場合、電源の電池残量が所定値以下の場合、利用者による操作入力が所定時間以上検出されない場合、番組コンテンツの記録部の残量が所定値以下の場合のうちの少なくとも一つの条件が満たされる場合に、前記視聴動作を復帰させるための視聴復帰動作を実行不可とするものとする。
【００３０】
この構成により、受信用アンテナの収納、筐体の閉じ、電池残量小、操作未入力、記録部の残量小などの状態において、視聴復帰動作を実行しないことで、不要な視聴復帰動作の実行を防止することができる。
【００３１】
また、本発明は、上記の放送受信用携帯端末装置であって、前記動作モード制御部は、前記視聴動作を復帰させるための視聴復帰動作として、以前の番組コンテンツの視聴動作に復帰可能であることを知らせる通知動作、以前の番組コンテンツの受信再生動作、以前の番組コンテンツの記録動作のうちの少なくとも一つの動作を行うものとする。
【００３２】
この構成により、視聴動作の復帰可能を通知して利用者の復帰の意思確認等をしたり、自動的に以前の番組コンテンツの再生して視聴可能にしたり、自動的に以前の番組コンテンツを記録して後で視聴可能にするなど、種々の視聴復帰に関する動作を行い、番組コンテンツ視聴時の利用者の利便性を高めることができる。
【００３３】
また、本発明は、上記の放送受信用携帯端末装置であって、前記動作モード制御部は、前記視聴復帰動作として前記通知動作を行った際、復帰を許可する所定の操作入力が検出された場合にのみ、以前の番組コンテンツの受信再生動作と記録動作のうちの少なくとも一方を実行するものとする。
【００３４】
この構成により、復帰可能の通知動作に対して利用者が復帰の許可指示を行ったときのみ、以前の番組コンテンツの再生や記録の視聴動作を実行することができ、不要な視聴復帰動作の実行を防止することができる。
【００３５】
また、本発明は、上記の放送受信用携帯端末装置であって、前記動作モード制御部は、前記視聴動作を一旦停止した際、予め設定登録された特定の機能を実行するものとする。
【００３６】
この構成により、視聴動作を一旦停止して視聴復帰モードに移行する際に、予め設定登録された特定の機能動作を実行可能となる。例えば、利用者が番組コンテンツの視聴中に受信状態が悪化したり番組中で興味のないコーナーやシーンが放送されたときなどに視聴を一旦終了したような場合には、利用者は暇をもてあますことになる。このような一時停止期間中に事前に登録しておいた特定の機能を自動的に開始することによって、利用者の利便性を高めることができ、効率的に作業を行うことができる。
【００３７】
また、本発明は、上記の放送受信用携帯端末装置であって、前記放送波とは異なる他の無線信号を受信する第２の受信部を備え、前記動作モード制御部は、前記放送波の受信状態とともに、前記他の無線信号の受信状態を含む複数の受信状態について、同時にこれらの受信状態の悪化が検出された場合にのみ、前記圏内復帰モードに移行するものとする。
【００３８】
この構成により、例えば携帯電話などの移動体通信など、放送波以外の受信部も含めた複数系統の受信状態を判定し、圏内復帰モードへの移行を判定できる。例えばエレベータ乗車時やトンネル通過時などに受信環境が低下した場合などに、他の受信環境も考慮したより適切な復帰制御を行うことができる。
【発明の効果】
【００３９】
本発明によれば、所望の番組コンテンツの視聴状態からそれ以外の状態に一時的に遷移した場合に、所望の番組コンテンツの視聴状態に復帰するための操作を容易にすると共に、番組コンテンツの視聴に関する利用者の意思を反映した復帰制御が可能な放送受信用携帯端末装置を提供できる。
【発明を実施するための最良の形態】
【００４０】
本発明に係る放送受信用携帯端末装置の実施形態について図１〜図６を参照しながら以下に説明する。
【００４１】
図１は本発明の実施形態における放送受信用携帯端末装置の構成例を示すブロック図である。図２は放送受信用携帯端末装置における放送視聴時の処理の内容を示すフローチャートである。図３は放送受信用携帯端末装置におけるチャネル復帰モードの処理の内容を示すフローチャートである。図４は放送受信用携帯端末装置における端末状態取得処理の内容を示すフローチャートである。図５は放送受信用携帯端末装置における通知処理の内容を示すフローチャートである。図６は放送受信用携帯端末装置における圏内復帰モードの処理の内容を示すフローチャートである。
【００４２】
本実施形態では、放送受信用携帯端末装置の例として、テレビなどのデジタル放送を受信する機能を備えた携帯電話端末に本発明を適用する場合を想定して説明する。勿論、携帯電話端末以外にも、携帯型情報端末（ＰＤＡ）や、携帯可能なパソコンや、車載端末などに本発明を適用することが想定できる。また、デジタル放送以外のアナログ放送などを受信する機器にも本発明を適応することが想定できる。
【００４３】
本実施形態の放送受信用携帯端末装置１０は、図１に示すように構成されており、電池１１と、ヒンジ１２と、入力処理部１３と、通信用アンテナ１４と、発光部１５と、バイブレータ１６と、放送受信用アンテナ１７と、ディスプレイ１８と、スピーカ１９とを備えている。また、時間検出部２１と、電池残量検出部２２と、端末開閉検出部２３と、端末使用状況確認部２４と、通信電波受信状況検出部２５と、アンテナ伸縮検出部２６と、放送受信状態検出部２７と、制御部２８と、視聴状態記録部２９と、復帰通知処理部３０と、録画部３１と、録画データ蓄積メモリ３２とを備えている。さらに、チューナ３３と、選局制御部３４と、多重化分離部３５と、番組情報検出部３６と、データ放送再生部３７と、映像デコーダ３８と、音声デコーダ３９と、番組情報記録部４０と、提示処理部４１とを備えている。
【００４４】
一般的な携帯電話端末と同様に、放送受信用携帯端末装置１０の筐体は、ヒンジ１２の軸を中心として２つに折り畳むことができるように構成されている。すなわち、筐体を開閉することにより、使用時にメインのディスプレイ１８の閲覧や操作キーの操作等が可能な開状態と、持ち運びに便利に格納される閉状態とを使い分けることができる。電池１１は、筐体に装着され、この放送受信用携帯端末装置１０に電源電力を供給するために利用される。
【００４５】
入力処理部１３は、利用者の入力操作のために放送受信用携帯端末装置１０に設けられている多数の操作キー等のスイッチ等による入力部からの入力を受け付けるための処理を行う。通信用アンテナ１４は、移動体通信網による携帯電話の通話のために無線基地局との間で通信したり、無線ＬＡＮ基地局との間で通信するために用いられる放送受信以外のアンテナである。
【００４６】
発光部１５は、発光ダイオード（ＬＥＤ）等の発光素子で構成されており、発光して利用者に視覚的に様々な注意を促すために利用される。バイブレータ１６は、機械振動を発生し利用者に触覚的に様々な注意を促すために利用される。
【００４７】
放送受信用アンテナ１７は、デジタル放送として放送されるテレビやラジオ等の放送波を受信するためのアンテナである。ディスプレイ１８は、液晶表示装置等で構成され、画像や文字列やマークなど、様々な情報を画面上に表示可能な二次元表示部である。スピーカ１９は、通話時の受話音声を再生出力したり、放送番組コンテンツの音響情報を再生出力するために利用される。
【００４８】
時間検出部２１は、タイマ等を有して構成され、現在時刻や時間差などを検出可能なものである。電池残量検出部２２は、電池１１の出力電圧を検出する電圧検出回路等を有して構成され、電池１１からの供給電源電力の残量を把握するために設けられる。
【００４９】
端末開閉検出部２３は、ヒンジ１２の状態を検出するスイッチやホール素子等を有して構成され、放送受信用携帯端末装置１０の筐体の開閉状態を検出するものである。端末使用状況確認部２４は、入力処理部１３からの入力を監視する電気回路等を有して構成され、入力状態を監視することによって使用状態か否かを区別する。すなわち、利用者からの入力操作が所定時間に渡って検出されないような場合には、この放送受信用携帯端末装置１０が使用状態ではないものとみなす。
【００５０】
通信電波受信状況検出部２５は、通信用アンテナ１４が受信した通信用の電波に関する受信レベルの大きさを検出する。この検出結果により、携帯電話の基地局や無線ＬＡＮ基地局の通信圏内にあるか圏外かを識別できる。
【００５１】
アンテナ伸縮検出部２６は、伸縮可能に構成されている放送受信用アンテナ１７の伸長状態あるいは収納状態を検出することにより、放送受信用アンテナ１７の使用状態と非使用状態とを区別する。
【００５２】
ここで、時間検出部２１、電池残量検出部２２、端末開閉検出部２３、端末使用状況確認部２４、通信電波受信状況検出部２５、アンテナ伸縮検出部２６は、端末本体の使用状況に応じて変化する状態情報をそれぞれ検出する機能を持つ端末状態検出部の一例として儲けられるものである。
【００５３】
制御部２８は、マイクロプロセッサ、メモリ等を有して構成されており、予め用意された所定のプログラムを実行することにより、放送受信用携帯端末装置１０の全体の動作に関する様々な制御を実現する。
【００５４】
視聴状態記録部２９は、放送受信用アンテナ１７で受信している放送番組コンテンツに関する視聴状態を示す視聴情報を一時的に記録するためのメモリ等で構成された記憶装置である。復帰通知処理部３０は、放送番組コンテンツの視聴を一旦終了して再び元の視聴状態に復帰する際の視聴復帰動作の通知に関する処理を実行する。
【００５５】
放送受信状態検出部２７は、放送受信用アンテナ１７が受信したデジタル放送の電波に関する受信状態として、受信レベルの大きさを検出する。この検出結果により、放送波の受信圏内にあるか圏外かを識別できる。
【００５６】
録画部３１は、受信した各放送番組コンテンツ（テレビ番組やラジオ番組の内容）のデータを、後で再生できるように録画データ蓄積メモリ３２上に保存するための処理を実行する。
【００５７】
チューナ３３は、放送受信用アンテナ１７が受信した電波から、デジタル放送の各放送番組の受信信号を復調してチャネル毎に取り出すための受信機である。選局制御部３４は、制御部２８からの指示に従ってチューナ３３を制御し、受信するチャネルの選局を制御する。多重化分離部３５は、デジタル放送として多重化されている受信信号を信号の種類毎に分離して、受信信号に含まれている番組特定情報や、データ放送のコンテンツや、映像のコンテンツや、音声のコンテンツなどを抽出する。
【００５８】
番組情報検出部３６は、受信信号に含まれている番組を特定するための情報等の番組情報を検出する。データ放送再生部３７は、デジタル放送の受信信号に含まれているデータ放送のコンテンツを再生する。
【００５９】
映像デコーダ３８は、デジタル放送の受信信号に含まれている映像の番組コンテンツのデータを復号し再生する。音声デコーダ３９は、デジタル放送の受信信号に含まれている音声の番組コンテンツのデータを復号し再生する。
【００６０】
番組情報記録部４０は、番組情報検出部３６が検出した番組情報のデータを一時的に保存するためのメモリ等で構成された記憶装置である。提示処理部４１は、デジタル放送として受信したデータ放送のコンテンツや、映像の番組コンテンツや、音声の番組コンテンツ等を、利用者が視聴できるようにディスプレイ１８やスピーカ１９に出力するための処理を実行する。
【００６１】
次に、本実施形態の放送受信用携帯端末装置１０における動作を説明する。図１に示す放送受信用携帯端末装置１０を用いて利用者が放送される番組コンテンツを視聴しようとする場合には、利用者の入力操作に応じた制御部２８の動作により、図２に示すような放送視聴時の処理が実行される。図２に示す処理について以下に説明する。
【００６２】
まず、ステップＳ１１では、放送受信用携帯端末装置１０上の放送受信システムの動作を起動する。すなわち、放送受信用アンテナ１７、チューナ３３、選局制御部３４、多重化分離部３５、番組情報検出部３６、データ放送再生部３７、映像デコーダ３８、音声デコーダ３９などを用いてデジタル放送を受信して処理するための準備を開始する。たとえば、チューナ３３の起動などの動作を行う。
【００６３】
ステップＳ１２では、利用者からの入力操作（放送チャネル指定）に従い、選局制御部３４を介してチューナ３３を制御し、選局を行う。初回起動時は、前回テレビ視聴を終了する直前に視聴していたチャネルで選局を行う。選局が実行されると、放送受信用アンテナ１７で受信された放送波の中から、選択された放送局に該当する放送チャネルの放送波が抽出され、チューナ３３で復調される。更に、チューナ３３で復調された受信信号は、多重化分離部３５でデータの種類毎に分離され、番組情報検出部３６、データ放送再生部３７、映像デコーダ３８、音声デコーダ３９のいずれかに入力される。
【００６４】
次に、ステップＳ１３では、利用者の入力操作を監視して、視聴処理を終了するための終了要求が発生したか否かを判定する。終了要求としては、テレビ終了ボタン操作などの放送受信機能のオフ、メーラー起動やブラウザ起動の操作などの他の機能への切り替えなどが挙げられる。終了要求を検出した場合にはステップＳ２７に進む。終了要求が検出されない場合はステップＳ１４に進む。
【００６５】
ステップＳ１４では、利用者の入力操作を監視して、放送チャネルの選択を切り替えるための選局要求が発生したか否かを判定する。選局要求を検出した場合には、ステップＳ１２に戻り、要求に従って選局制御部３４を介してチューナ３３を制御し、再び選局を実行する。選局要求が検出されない場合はステップＳ１５に進む。
【００６６】
ステップＳ１５では、利用者の入力操作を監視し、「復帰タイマ」として割り当てられたボタンが利用者によって押下されたか否かを判定する。「復帰タイマ」のボタンは、利用者が視聴する放送のチャネルを一時的に切り替えて、再び元のチャネルに戻るための操作を自動化する機能（チャネル復帰モード）を起動するために設けてある。従って、「復帰タイマ」のボタンの押下を検出すると、「チャネル復帰モード」に遷移し、ステップＳ１６に進む。復帰タイマボタンの押下が検出されない場合はステップＳ２１に進む。
【００６７】
例えば、現在視聴している放送チャネルにおいて番組中に興味のないコーナーやシーンが放送される時間帯になると、利用者はこのようなシーンの時間帯だけ現在の番組コンテンツを見る代わりに他の放送チャネルで放送されている別の番組コンテンツを視聴したいと考える場合が多い。そこで、受信する放送チャネルを切り替えた後、興味のないコーナーやシーンが終了したときに元の番組コンテンツの視聴状態に簡単に戻るための機能が必要になる。これを実現するのが「チャネル復帰モード」である。
【００６８】
ステップＳ１６では、現在視聴している放送番組や放送チャネルに関する視聴チャネル情報を視聴状態記録部２９に記憶する。すなわち、利用者が複数のチャネルを順次切り替えていくザッピングを行った場合に、放送チャネルを一時的に切り替えた後で、元の放送チャネルに戻るために必要な視聴チャネル情報をステップＳ１６で保存する。ここで、視聴チャネル情報に関して、設定に必要な周波数チャネルなどのチューナの選局設定に必要な情報と、番組特定情報などの多重化されたサービスを特定するための論理的なチャネルの情報とを合わせて視聴チャネル情報と定義する。
【００６９】
ステップＳ１７では、チャネル切り替え後に、元のチャネルに戻るための復帰処理を自動的に開始する時刻を決定する。具体的には、ステップＳ１５で「復帰タイマ」のボタンの押下を検出した時刻に予め定めた所定の時間（例えば１分間）を加算した時刻を復帰処理の開始時刻に定める。また、「復帰タイマ」のボタンが連続的に複数回押下された場合には、その回数に比例してステップＳ１７で加算する時間の長さを増やすように処理する。
【００７０】
ステップＳ１８では、自動的に起動する機能として事前にアプリケーションプログラム（例えばメール処理用のプログラム）が登録されている場合に、該当するアプリケーションプログラム（アプリ）を自動的に起動する。これにより、「復帰タイマ」のボタンの押下した場合には、特定のアプリケーションプログラムを直ちに起動してすぐに使用できる。
【００７１】
ステップＳ１９では、「チャネル復帰モード」が継続しているか否かを判断し、「チャネル復帰モード」が継続している場合には次のステップＳ２０を実行する。「チャネル復帰モード」が継続していない場合はステップＳ２１に進む。
【００７２】
ステップＳ２０では、「チャネル復帰モード」において、元のチャネルに戻るための処理を実行する。「チャネル復帰モード」の具体的な処理の内容については後で詳細に説明する。
【００７３】
次に、ステップＳ２１では、ステップＳ１２又はステップＳ１４で選択された放送チャネルで放送されている番組コンテンツを利用者がリアルタイムで視聴できるように番組コンテンツの再生処理を実行する。すなわち、データ放送再生部３７が処理したデータ、映像デコーダ３８が処理した映像、音声デコーダ３９が処理した音声などの出力先を制御し、利用者が視聴できるように画像等をディスプレイ１８の画面上に表示したり、音声をスピーカ１９から出力する。
【００７４】
ステップＳ２２では、ステップＳ１２又はステップＳ１４で選択された放送チャネルで放送されている番組コンテンツを利用者が後で視聴可能なように、放送チャネル情報、番組情報などの視聴情報を番組情報記録部４０に記録する。ここで、放送チャネル情報に関して、チューナにより復調されたデータから、多重化された放送サービスを特定し選局するための論理的なチャネルの情報を放送チャネル情報と定義する。具体的には、ＰＳＩ／ＳＩなどの番組特定情報、番組情報から商品使用にあわせて受信機が選局で使用するデータなどをいう。番組情報は、番組名、番組の識別ＩＤ、開始時間、終了時間などを含むもので、放送局等の放送番組コンテンツの配信者や他の番組情報提供者から提供されるＥＰＧ情報などから情報が更新される都度、取得する。
【００７５】
ステップＳ２３では、チューナ３３が現在受信している放送チャネルの受信状況（電波の受信レベル）を放送受信状態検出部２７で検出し、受信不可能な状況（受信圏外）かどうかを判定する。そして、一旦受信圏外になってから所定時間を経過した場合に限り、ステップＳ２３からステップＳ２４に進む。受信圏外でない場合、及び受信圏外になってから所定時間経過していない場合は、ステップＳ１３に戻る。
【００７６】
なお、送受信用携帯端末装置１０は携帯電話の基地局や無線ＬＡＮ基地局との間で通信するための機能を備えているので、通信電波の受信レベルを通信電波受信状況検出部２５を用いて検出することもできる。また、チューナ３３で受信されるデジタル放送の電波と、通信のために通信用アンテナ１４が受信する電波とは周波数帯が大きく異なっている。そこで、チューナ３３の放送受信レベルだけでなく、通信用アンテナ１４の通信電波受信レベルも監視して、両方の受信レベルが所定以下になった場合のみステップＳ２３からＳ２４に進むように変更しても良い。
【００７７】
すなわち、短時間の受信障害が生じる環境では複数の周波数帯の受信レベルが同時に悪化することは少ないのに対し、例えばトンネル内を移動する場合のように長時間にわたって受信不可能な状態になる環境では全ての周波数帯で受信レベルが低下するので、複数の周波数帯の受信レベルを同時に監視して制御を実行することにより、より適切なモード遷移が可能になる。
【００７８】
ステップＳ２４では、ステップＳ２３以降に受信圏外から再び受信圏内に入ったときに、視聴していた放送番組コンテンツの視聴状態に自動復帰するための「圏内復帰モード」が有効になっているか否かを判定する。すなわち、利用者の事前の入力操作により「圏内復帰モード」がオンにセットしてある場合や、「圏内復帰モード」に割り当てた所定のボタンが押下された場合、あるいはチャネル切り替えの入力操作を検出した場合、テレビ受信のアプリケーションプログラムを終了するための入力操作を検出した場合、メールやゲームなどの他のアプリケーションプログラムに切り替えるための入力操作を検出した場合に、ステップＳ２４から次のステップＳ２５に進む。圏内復帰モードが有効になっていない場合は、ステップＳ１３に戻る。
【００７９】
ステップＳ２５では、自動的に起動する機能として事前にアプリケーションプログラム（例えばメール処理用のプログラム）が登録されている場合に、該当するアプリケーションプログラム（アプリ）を自動的に起動する。これにより、放送番組の視聴中に受信圏外に移動して視聴動作が一時的に終了された場合に、利用者が何も操作しなくても特定のアプリケーションプログラムが直ちに起動するのでそれをすぐに使用できる。
【００８０】
ステップＳ２６では、「圏内復帰モード」の処理を開始する。「圏内復帰モード」の具体的な処理の内容については後で詳細に説明する。
【００８１】
ステップＳ２７では、この場合放送を受信していない状態であるので、放送受信用携帯端末装置１０の電力消費を抑制するために、放送受信システムの動作を終了する。すなわち、ステップＳ１１で起動したチューナ３３、選局制御部３４、多重化分離部３５、番組情報検出部３６、データ放送再生部３７、映像デコーダ３８、音声デコーダ３９などの電源を遮断するかもしくは動作を抑制する。ステップＳ２７の後、図２に示す視聴処理は一旦終了する。
【００８２】
このように、本実施形態では、放送番組コンテンツを受信して利用者が視聴している状態で、利用者の操作により視聴を一旦終了したときに、所定の視聴復帰条件によって元の視聴状態に復帰させる視聴復帰動作の処理を行う。この視聴復帰モードとしては、利用者のチャネル切替等の操作による終了に対して復帰するチャネル復帰モードと、端末装置の受信圏内から圏外への移動による終了に対して復帰する圏内復帰モードとを設ける。
【００８３】
チャネル復帰モードでは、放送番組コンテンツの視聴中に復帰設定用の特定のボタンを操作した後、他のチャネルに切り替えたり、メール等の他の機能に切り替えたり、放送受信を終了する等の操作を行って視聴を終了した際、所定時間後に復帰可能である所定の視聴復帰条件を満たす場合に、視聴復帰動作として、復帰可能である旨の通知を行ったり、元の視聴チャネルの受信動作を復帰させて放送番組コンテンツを受信再生したり、この放送番組コンテンツの記録を行う。なお、利用者の設定によっては、視聴復帰モードの事前設定を予め行っておくことで、復帰設定用の特定のボタンを操作しなくとも自動的にチャネル復帰モードに移行して所定時間後に復帰可能通知を行うようにすることも可能である。
【００８４】
また、圏内復帰モードでは、放送番組コンテンツの視聴中に受信圏外に移動するなどして放送受信状態が悪化し、現在受信しているチャネルが視聴不能となった後に、他のチャネルに切り替えたり、メール等の他の機能に切り替えたり、放送受信を終了する等の操作を行って視聴を終了した際、周期的に受信状態を監視し、元の視聴チャネルが受信可能な受信圏内となり、所定の視聴復帰条件を満たす場合に、視聴復帰動作として、復帰可能である旨の通知を行ったり、元の視聴チャネルの受信動作を復帰させて放送番組コンテンツを受信再生したり、この放送番組コンテンツの記録を行う。なお、視聴復帰モードの事前設定を予め行っておくことで、一旦視聴動作を終了した後に受信圏内に戻ったら自動的に圏内復帰モードに移行するようにしてもよいし、視聴動作終了の操作時に利用者が復帰設定用の特定のボタンを操作することによって圏内復帰モードに移行し、受信圏内になったら視聴動作を復帰させるようにすることも可能である。
【００８５】
なお、視聴復帰モードに移行する際には、メーラー起動やブラウザ起動などの他のアプリケーション動作など、予め設定登録しておいた特定の他の機能の動作を実行するようなことも可能である。また、受信圏内／圏外を判定する際、放送電波の受信環境の判定だけでなく、移動体通信などの通信用電波の受信環境など、他の電波の受信環境も考慮し、双方の受信レベルが同時に低下した場合にのみ、視聴復帰モードに移行するようにしてもよい。このような圏外判定を行うことで、エレベータ乗車時やトンネル通過時などに受信環境が低下した場合などに適切に対応可能である。
【００８６】
視聴復帰モードにおいて視聴復帰動作を行う視聴復帰条件としては、（１）視聴していたチャネルの放送番組コンテンツの放送電波が受信可能な圏内にあること、（２）視聴動作終了前の視聴時と復帰後とで放送されている放送番組コンテンツが一致していること、（３）端末装置の使用状況が視聴に適した所定の状態にあること、のうちの少なくとも一つ（いずれかまたはこれらの組み合わせ）を用いる。例えば、スポーツ実況中継などのリアルタイム性のある番組を視聴している場合は、番組が終了した後に視聴復帰してもあまり利用価値が無い。このため、放送番組コンテンツが視聴動作終了以前と一致している場合のみ視聴復帰動作を行うことで、利用者の意図に合った視聴復帰が行える。
【００８７】
また、視聴復帰動作における通知動作としては、発光部１５の点灯、バイブレータ１６の振動、スピーカ１９からの音などによる通知、ディスプレイ１８における文字や画像による通知などを用いればよい。ディスプレイ１８での通知において、復帰後の番組コンテンツの静止画をキャプチャーして表示することで、利用者が番組内容を容易に認識できるように表示しながら通知することも可能である。また、通知動作を利用者が特定のボタン操作によって停止させた場合、または通知動作に対して利用者からの操作が無い場合に、所定時間後に再度通知動作を繰り返すスヌーズ動作を行ってもよい。
【００８８】
図３には、図２のステップＳ２０で実行される「チャネル復帰モード」の処理に関する具体的な内容について示されている。この図３の処理について以下に説明する。
【００８９】
まず、ステップＳ３１では、現在時刻の情報を時間検出部２１から取得し、この現在時刻と図２のステップＳ１７で決定した復帰時刻とを比較して、復帰時刻になったか否かを判定する。現在時刻が復帰時刻に達している場合には次のステップＳ３２に進む。この処理を復帰時刻に達するまで繰り返す。
【００９０】
ステップＳ３２では、放送受信用携帯端末装置１０の使用状態を確認するために、「端末状態取得処理」を実行する。この「端末状態取得処理」の具体的な内容については、図４に示されている。
【００９１】
すなわち、図４において、ステップＳ７１では時間検出部２１から現在時刻を検出し、ステップＳ７２では電池残量検出部２２から電池残量の情報を取得し、ステップＳ７３では端末使用状況確認部２４から端末使用状況（最後の入力操作検出時からの経過時間）の情報を取得し、ステップＳ７４では通信電波受信状況検出部２５から通信用アンテナ１４が受信している電波の受信レベルに関する情報を取得し、ステップＳ７５ではアンテナ伸縮検出部２６から放送受信用アンテナ１７の伸縮状態に関する情報を取得し、ステップＳ７６では端末開閉検出部２３からヒンジ１２の状態に基づく端末筐体の開閉状態に関する情報を取得する。
【００９２】
次いで、図３のステップＳ３３では、ステップＳ３２で取得した様々な端末状態の情報に基づいて、「チャネル復帰モード」を継続するか否かを決定する。具体的には、次に示す条件１〜４のいずれかに該当する場合には「チャネル復帰モード」を強制的に終了し、条件１〜４に該当しなければ「チャネル復帰モード」を継続し次のステップＳ３４に進む。
【００９３】
（条件１）現在時刻が視聴動作終了した元の番組コンテンツの放送終了時刻を超えている（目的の番組は既に終了している）。
（条件２）電池１１の電力の残量が所定以下である（番組を視聴可能な時間が短い）。
（条件３）所定時間以上（１０分以上、３０分以上など）の間、利用者の入力操作が検出されていない。
（条件４）録画に用いる記憶装置の残り記憶容量が少ない（録画の場合のみ）。
【００９４】
すなわち、「チャネル復帰モード」が自動的に開始されたが、元の番組が既に終了していて視聴再開が不可能な場合や、元の番組の視聴状態に戻ることが可能であっても、既に利用者に視聴を再開する意思がない可能性が高いと考えられる場合（放送受信用アンテナ１７が収納されているか、又は入力操作が検出されない）や、望ましい状況で視聴を再開できない場合（電池残量が少ない、又は電波の受信環境が悪化している）には、視聴を再開しない方が利用者にとって有益であるので、強制的に処理を終了する。
【００９５】
ステップＳ３４では、ステップＳ３２で取得した様々な端末状態の情報に基づいて、「チャネル復帰モード」に関する利用者への通知が可能な状態か否かを判定する。具体的には、次に示す条件５〜７のいずれかに該当する場合には通知する必要がないと判断し、ステップＳ３６に進む。
【００９６】
（条件５）放送以外の電波の受信レベルが所定以下である（受信環境が悪い）。
（条件６）放送受信用アンテナ１７が既に収納されている（使用状態でない）。
（条件７）端末筐体が折り畳んだ状態である（閉じた状態になっている）。
【００９７】
例えば、端末筐体が折り畳んだ状態（閉じた状態）であると、ディスプレイ１８の画面（主画面）は利用者から見えない状態になっているので、ディスプレイ１８の表示を利用して通知することができない。そこで、条件５〜７に該当せず、視聴復帰モードの通知が可能な状態である場合に限り、ステップＳ３４からステップＳ３５に進む。なお、端末筐体が折り畳んだ状態（閉じた状態）である場合には、既に利用者に視聴を再開する意思がないと考えることもできるので、「チャネル復帰モード」を終了しても良い。
【００９８】
ステップＳ３５では、放送受信状態検出部２７から目的の番組の放送に関するチューナ３３の受信状態を表す情報を取得し、放送電波の受信圏内か圏外かを判定する。受信圏内であれば次のステップＳ３７に進み、受信圏外であればステップＳ３６に進む。
【００９９】
ステップＳ３６では、「チャネル復帰モード」を継続するために、ステップＳ３１で参照する復帰時刻に所定時間（例えば１分間）を加算して復帰時刻を更新する。そして再びステップＳ３１に戻る。すなわち、受信圏外の場合には、所定時間おきにステップＳ３２以降の処理を実行することになる。このステップＳ３１〜Ｓ３６の処理は、例えば３０秒毎に１回などで間欠受信を行い、各種条件の判定を行う。
【０１００】
一方、受信圏内である場合、ステップＳ３７では、番組情報記録部４０に記録された番組情報を参照したり、放送局等から番組情報を取得し、復帰先の放送チャネルにおいて、「チャネル復帰モード」開始前の番組と復帰後の番組とが一致するかどうかを判定する。この場合、利用者自身のチャネル切り替え操作によりザッピングを開始する前の番組が終了し、他の番組が始まっている場合は、利用者が継続して視聴する意思が無い場合が多く、復帰動作を行う必要がないとみなし、このチャネル復帰モードを終了する。なお、復帰前後の番組の相違は、時間経過により次の番組に切り替わっている場合の他に、放送受信用携帯端末装置１０の移動によって他の放送局の受信圏内に切り替わり、番組が異なる場合なども想定される。番組が一致する場合は次のステップＳ３８に進む。
【０１０１】
ステップＳ３８では、チャネル復帰動作を実行することを利用者に通知するための「通知処理」を実行する。この「通知処理」の具体的な内容については、図５に示されている。
【０１０２】
すなわち、図５において、ステップＳ８１では、利用者の入力操作により事前に登録可能な各機能の動作に関する許可情報の中で、音で通知する動作が許可されているか否かを判定する。許可されている場合には、次のステップＳ８２に進み、許可されていない場合はステップＳ８２をスキップする。ステップＳ８２では、スピーカ１９からチャネル復帰動作を表す通知用の音響を出力する。
【０１０３】
ステップＳ８３では、利用者の入力操作により事前に登録可能な各機能の動作に関する許可情報の中で、発光で通知する動作が許可されているか否かを判定する。許可されている場合には、次のステップＳ８４に進み、許可されていない場合はステップＳ８４をスキップする。ステップＳ８４では、発光部１５を点灯もしくは点滅し、チャネル復帰動作を行うことを通知する。
【０１０４】
ステップＳ８５では、利用者の入力操作により事前に登録可能な各機能の動作に関する許可情報の中で、振動で通知する動作が許可されているか否かを判定する。許可されている場合には、次のステップＳ８６に進み、許可されていない場合はステップＳ８６をスキップする。ステップＳ８６では、バイブレータ１６を駆動し、チャネル復帰動作を行うことを機械振動により通知する。
【０１０５】
ステップＳ８７では、利用者の入力操作により事前に登録可能な各機能の動作に関する許可情報の中で、画面表示で通知する動作が許可されているか否かを判定する。許可されている場合には、次のステップＳ８８に進み、許可されていない場合はステップＳ８８、Ｓ８９をスキップする。ステップＳ８８では、復帰先の目的の番組コンテンツに関する動画像をキャプチャーすることにより１フレームの画像を静止画として取得する。ステップＳ８９では、ステップＳ８８で生成した静止画をディスプレイ１８の画面上に表示し、チャネル復帰動作を行うことを通知し、復帰後の番組内容のサンプル画像を示す。
【０１０６】
ステップＳ３８で図５に示す通知処理を実行した後、図３のステップＳ３９に進む。ステップＳ３９では、視聴動作を自動的に開始するか否かを判定する。すなわち、利用者の入力操作により事前に登録可能な各機能の動作に関する許可情報の中で、チャネル復帰モードで所定の条件を満たす場合の自動視聴開始が許可されているか否かを判定する。自動視聴開始が許可されている場合には次のステップＳ４０に進み、許可されていなければステップＳ４１に進む。
【０１０７】
ステップＳ４０では、元の放送チャネルで視聴を再開するための処理を開始する。すなわち、図２に示す処理中のステップＳ１６で記録しておいた元の放送チャネルに関する情報を読み出して、チューナ３３の受信チャネルを元の放送チャネルに戻して、チューナ３３が受信した受信信号を多重化分離部３５、番組情報検出部３６、データ放送再生部３７、映像デコーダ３８、音声デコーダ３９で処理し、再生した放送番組コンテンツの映像や音声をディスプレイ１８及びスピーカ１９に出力する。
【０１０８】
ステップＳ４１では、録画動作を自動的に開始するか否かを判定する。すなわち、利用者の入力操作により事前に登録可能な各機能の動作に関する許可情報の中で、チャネル復帰モードで所定の条件を満たす場合の自動録画開始が許可されているか否かを判定する。このとき、録画に用いる録画データ蓄積メモリ３２の記憶容量の残量の判定などを行ってもよい。自動録画開始が許可されている場合には次のステップＳ４２に進み、許可されていなければチャネル復帰モードを終了する。
【０１０９】
ステップＳ４２では、予約しておいた番組コンテンツに関する自動録画を実行する。すなわち、図２に示す処理中のステップＳ１６で記録しておいた元の放送チャネルに関する情報を読み出して、チューナ３３の受信チャネルを元の放送チャネルに戻した後、チューナ３３が受信した受信信号のデータを、録画部３１の制御により録画データ蓄積メモリ３２に蓄積する。
【０１１０】
図６には、図２のステップＳ２６で実行される「圏内復帰モード」の処理に関する具体的な内容について示されている。この図６の処理について以下に説明する。なお、図６に示す処理と既に説明した図３に示す処理とは非常によく似ている点があり、同様の処理については詳しい説明を省略する。すなわち、図６におけるステップＳ５１〜Ｓ５５及びステップＳ５７〜Ｓ６２は、それぞれ図３に示したステップＳ３１〜Ｓ３５及びステップＳ３７〜Ｓ４２とほぼ同様の処理を行う。但し、図６に示すステップＳ５０を実行する位置と図３に示すステップＳ３６を実行する位置とが異なっている。
【０１１１】
まず、ステップＳ５０では、受信圏外からの復帰条件を確認するための時刻を決定するために、現在時刻に所定時間（例えば１分間）を加算して次のステップＳ５１で参照する復帰時刻を決定する。次いで、ステップＳ５１では、現在時刻の情報を取得し、この現在時刻と復帰時刻とを比較して、復帰時刻になったか否かを判定する。現在時刻が復帰時刻に達している場合には次のステップＳ５２に進む。この処理を復帰時刻に達するまで繰り返す。従って、受信圏外の場合には、所定時間を経過するたびにステップＳ５０からステップＳ５１に進むので、所定時間おきにステップＳ５２以降の処理を実行することになる。
【０１１２】
そして、「チャネル復帰モード」の場合と同様に、ステップＳ５２で端末の状態を表す各種情報を取得し、その端末状態の情報に基づいて、ステップＳ５３で「圏内復帰モード」の継続が可能かどうかを判定し、上述した条件１〜４のいずれかに該当せず、「圏内復帰モード」を継続可能であればステップＳ５４に進む。更に、ステップＳ５４では、端末状態の情報に基づいて視聴復帰モードの通知が可能かどうかを判定し、上述した条件５〜７のいずれかに該当せず、通知可能な状態であれば次のステップＳ５５に進む。通知可能でない場合はステップＳ５０に戻る。
【０１１３】
ステップＳ５５では、チューナ３３の受信レベルを調べて放送電波の受信圏内か圏外かを判定し、受信圏内であれば次のステップＳ５７に進む。受信圏外であればステップＳ５０に戻る。ステップＳ５７では、復帰先の放送チャネルにおいて、「圏内復帰モード」開始前の番組と復帰後の番組とが一致するかどうかを判定する。この場合、受信圏外になる前の番組が終了し、他の番組が始まっている場合は、利用者が継続して視聴する意思が無い場合が多く、復帰動作を行う必要がないとみなし、この圏内復帰モードを終了する。なお、復帰前後の番組の相違は、時間経過により次の番組に切り替わっている場合の他に、放送受信用携帯端末装置１０の移動によって他の放送局の受信圏内に切り替わり、番組が異なる場合なども想定される。番組が一致する場合は次のステップＳ５８に進む。
【０１１４】
ステップＳ５８では、圏内復帰動作を実行することを利用者に通知するための「通知処理」を実行する。この「通知処理」の内容は前述した図５と同様である。
【０１１５】
そして、ステップＳ５９では、視聴動作を自動的に開始するか否かを判定する。自動視聴開始が許可されている場合には次のステップＳ６０に進み、許可されていなければステップＳ６１に進む。
【０１１６】
ステップＳ６０では、受信圏外になって視聴動作を終了した元の番組コンテンツの視聴動作を再開するための処理を開始する。すなわち、チューナ３３の受信チャネルを元の放送チャネルに合わせて、チューナ３３が受信した受信信号を多重化分離部３５、番組情報検出部３６、データ放送再生部３７、映像デコーダ３８、音声デコーダ３９で処理し、再生した放送番組コンテンツの映像や音声をディスプレイ１８及びスピーカ１９に出力する。
【０１１７】
ステップＳ６１では、録画動作を自動的に開始するか否かを判定する。自動録画開始が許可されている場合には次のステップＳ６２に進み、許可されていなければ圏内復帰モードを終了する。このとき、録画に用いる録画データ蓄積メモリ３２の記憶容量の残量の判定などを行ってもよい。ステップＳ６２では、予約しておいた番組コンテンツに関する自動録画を実行する。すなわち、チューナ３３が受信した受信信号のデータを、録画部３１の制御により録画データ蓄積メモリ３２に蓄積する。
【０１１８】
なお、例えば放送受信用携帯端末装置が筐体を折り畳んだ状態で外側から見ることのできるサブディスプレイを搭載しているような場合には、図３のステップＳ３３及び図６のステップＳ５３で視聴復帰モードを終了せず、図３のステップＳ３８及び図６のステップＳ５８の通知処理においてサブディスプレイ上の画面に視聴復帰モードの通知内容を表示するように処理を変更しても良い。
【０１１９】
また、図３のステップＳ３８及び図６のステップＳ５８で実行する通知処理の動作については、スヌーズ機能を持たせても良い。すなわち、通知の動作に対して利用者が特定のボタンを操作して通知を一時停止させた場合や、利用者からの入力操作が全く検出されない場合には、所定時間を経過するたびに同じ通知動作を繰り返すように制御することもできる。
【０１２０】
上述した本実施形態の放送受信用携帯端末装置１０を利用する際には、テレビ等の番組の視聴中に、受信圏外に移動したり、選択中のチャネルで利用者の興味がないコーナーやシーンが放送され、本来なら視聴を継続したいにもかかわらず一時的にテレビ等の番組の視聴を終了するか、又は他のチャネルの番組を視聴せざるを得ないような場合に、煩雑な操作をすることなく利用者の望む番組の視聴に復帰することができる。
【０１２１】
すなわち、放送視聴中に興味のないコーナーやシーンが放映されたために、利用者の操作でザッピングを行い受信チャネルを切り替えたような場合には、所定時間後に自動的に元のチャネルの番組の視聴状態に復帰することができる。また、電車、新幹線等で移動しながら放送番組を視聴している途中で、受信レベルの低下などで番組の視聴を一時的に終了した場合には、受信圏内に戻ったことを検知して自動的に元の視聴状態に復帰することができる。
【０１２２】
この場合、視聴復帰動作を実行する際に、視聴復帰条件として、放送波の受信レベルだけでなく、端末装置の状態情報を利用して視聴復帰動作の実行可否を決定するので、目的とする番組コンテンツの視聴に関する利用者の意思を反映した復帰制御が可能になる。
【０１２３】
なお、携帯端末装置の状態として、例えば放送受信用アンテナが収納可能に構成されている場合、放送波の受信レベルが一時的に低下して放送を視聴できない状態であっても、利用者に番組コンテンツを視聴する意思がある場合には、放送受信用アンテナを収納せずに放送波を受信できる状態になるまで待機することになる。一方、放送波を受信できなくなり番組コンテンツの視聴を一時停止している時間が長くなると、利用者は番組コンテンツを継続して視聴したいと思わなくなり、不要になった放送受信用アンテナを収納することになる。この放送波受信用アンテナが使用状態か収納状態かを表す状態は、利用者に番組コンテンツの視聴を継続する意思があるかないかを反映した結果になると考えられる。このような状況において、放送受信用アンテナの収納状態に応じて視聴復帰動作の可否を判断することによって、利用者の意思を反映した復帰制御が可能になる。
【０１２４】
また、携帯端末装置の状態として、例えば筐体が開閉可能な構造に構成され、利用者の操作により主表示画面を開閉できるような場合には、放送波の受信レベルが一時的に低下して放送を視聴できない状態であっても、利用者に番組コンテンツを視聴する意思がある場合には、主表示画面が見えるようにそれを開いた状態を維持し、放送波を受信できる状態になるまで待機することになる。一方、放送波を受信できなくなり番組コンテンツの視聴を一時停止している時間が長くなると、利用者は番組コンテンツを継続して視聴したいと思わなくなり、主表示画面を見る必要がないため、画面を閉じることになる。この筐体の開閉状態は、利用者に番組コンテンツの視聴を継続する意思があるかないかを反映した結果になると考えられる。このような状況において、筐体の開閉状態に応じて視聴復帰動作の可否を判断することによって、利用者の意思を反映した復帰制御が可能になる。
【０１２５】
また、電源の電池残量が少ない場合には、仮に利用者に番組コンテンツの視聴を継続する意思があったとしても、視聴を再開した直後に再び視聴不可能な状態に陥る可能性が高いので、元の視聴状態に復帰しない方が利用者にとって有益である可能性が高い。また、利用者に番組コンテンツの視聴を継続する意思がある場合には、利用者は端末装置に対して何らかの入力操作を行う可能性が高いが、長時間にわたって全く操作入力が無い状態では、もはや利用者に番組コンテンツの視聴を継続する意思はないと考えられる。よって、このような電源の電池残量や操作入力の状態に応じて視聴復帰動作の可否を判断することによって、利用者の意思を反映した復帰制御が可能になる。
【０１２６】
また、放送されている番組コンテンツを視聴している状態から一旦視聴動作を終了した場合には、一時停止時間が長くなると、視聴動作を復帰する際に既に元の番組コンテンツが終了している場合もある。このような場合、利用者は同一の番組コンテンツを継続して視聴する意思はあるが、別の番組コンテンツについては視聴する意思がない場合が多いと考えられる。そこで、番組情報と時刻情報に基づいて、同じ番組コンテンツの放送が継続しているか否かを判定し、判定結果に応じて視聴復帰動作を実行することによって、利用者の意思を反映した制御が可能になる。
【０１２７】
また、番組コンテンツの視聴を一旦終了した後、利用者に番組コンテンツの視聴を継続する意思があり、目的の番組コンテンツの視聴が可能な状態である場合であっても、例えば利用者が番組コンテンツの視聴よりも優先度の高い作業を端末装置において行っている場合も考え得るので、番組コンテンツの視聴状態に自動的に復帰すると利用者にとって迷惑になる可能性もある。そこで、復帰可能である旨の通知を行い、実際の利用者の意思を確認してから番組コンテンツの再生等の視聴復帰動作を実行することで、利用者の意思をより反映した制御が可能になる。
【０１２８】
また、利用者の操作入力により番組コンテンツの視聴を一旦終了し、チャネル復帰モードで視聴復帰動作を行う場合、例えば視聴復帰動作を行う所定時間の経過を番組中の興味のないコーナーやシーンの長さに設定しておけば、このようなシーンの時間帯だけ一時的に視聴を終了して自動的に視聴復帰するようなことも可能である。また、圏内復帰モードで視聴復帰動作を行う場合、受信圏内で視聴可能な状態になった時点で視聴復帰動作を実行することで、望ましいタイミングでの番組コンテンツの視聴再開が可能になる。
【０１２９】
また、番組コンテンツの視聴を一旦終了した際、一時停止期間中の利用者は、例えば電子メール用のアプリケーションプログラムを起動してメールの操作を行うなど、利用したい機能が利用者毎に決まっている場合が多い。そこで、視聴復帰モードに移行するときに予め設定登録しておいた特定のアプリケーションなどの機能を自動的に実行することによって、利用者は暇な一時停止期間中により効率的に作業を行うことができる。
【０１３０】
また、放送波の受信レベルが低下する状況としては様々な状態が想定されるが、極めて短い時間だけ放送波を受信できなくなる場合と、長い時間に渡って放送波を受信できなくなる場合とがある。例えば、移動中に高層建築物の影に入ったような場合には短い時間で受信状態が回復するが、エレベータの中にいたりトンネルの中に入ったような場合には比較的長い時間に渡って受信状態が回復しない場合が多い。また、前者の場合には受信する周波数帯によって受信状況が大きく異なるのに対し、後者の場合には全ての周波数帯について受信不可能な状態になる。また、例えば放送を受信可能な携帯電話端末の場合には、通信のための受信部と、放送波受信のための受信部とをそれぞれ備えることになるので、複数の周波数帯の電波の受信状況を同時に把握することができる。そこで、圏内復帰モードで視聴復帰動作を行う場合、複数の周波数帯のそれぞれについて受信レベルを監視して、全ての周波数帯で受信状況が悪化した場合だけ圏内復帰モードに移行するようにする。つまり、放送波のみの受信環境が一時的に低下した場合のように短い時間で受信状態が回復する可能性が高い状況では圏内復帰モードに移行せず、全ての無線信号の受信環境が低下した場合に圏内復帰モードに移行する。これにより、全体の受信環境を考慮したより適切な復帰制御を行うことができる。
【０１３１】
以上のように、本実施形態によれば、放送受信機能を備えた携帯電話端末、携帯型情報端末、モバイルＰＣ、車載受信装置、ポータブル受信装置などに適用することにより、所望の番組コンテンツの視聴状態からそれ以外の状態に一時的に遷移した際に、所望の番組コンテンツの視聴状態に復帰するための操作を容易にすると共に、番組コンテンツの視聴に関する利用者の意思を反映した復帰制御が可能となる。例えば、移動しながら視聴を行う場合のように受信環境や視聴環境が大きく変化する場合に、受信番組を視聴するための入力操作を簡略化することができ、しかも利用者の意思などを反映した制御が可能になるので、操作性が大幅に改善される。
【０１３２】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【０１３３】
本発明は、所望の番組コンテンツの視聴状態からそれ以外の状態に一時的に遷移した場合に、所望の番組コンテンツの視聴状態に復帰するための操作を容易にすると共に、番組コンテンツの視聴に関する利用者の意思を反映した復帰制御が可能となる効果を有し、無線信号の放送波を受信して放送波に含まれる番組コンテンツの再生と記録の少なくとも一方を行う機能を備えた放送受信用携帯端末装置等に有用である。
【図面の簡単な説明】
【０１３４】
【図１】本発明の実施形態における放送受信用携帯端末装置の構成例を示すブロック図
【図２】本実施形態の放送受信用携帯端末装置における放送視聴時の処理の内容を示すフローチャート
【図３】本実施形態の放送受信用携帯端末装置におけるチャネル復帰モードの処理の内容を示すフローチャート
【図４】本実施形態の放送受信用携帯端末装置における端末状態取得処理の内容を示すフローチャート
【図５】本実施形態の放送受信用携帯端末装置における通知処理の内容を示すフローチャート
【図６】本実施形態の放送受信用携帯端末装置における圏内復帰モードの処理の内容を示すフローチャート
【符号の説明】
【０１３５】
１０  放送受信用携帯端末装置
１１  電池
１２  ヒンジ
１３  入力処理部
１４  通信用アンテナ
１５  発光部
１６  バイブレータ
１７  放送受信用アンテナ
１８  ディスプレイ
１９  スピーカ
２１  時間検出部
２２  電池残量検出部
２３  端末開閉検出部
２４  端末使用状況確認部
２５  通信電波受信状況検出部
２６  アンテナ伸縮検出部
２７  放送受信状態検出部
２８  制御部
２９  視聴状態記録部
３０  復帰通知処理部
３１  録画部
３２  録画データ蓄積メモリ
３３  チューナ
３４  選局制御部
３５  多重化分離部
３６  番組情報検出部
３７  データ放送再生部
３８  映像デコーダ
３９  音声デコーダ
４０  番組情報記録部
４１  提示処理部
【図１】
2008010931.tif 000003
【図２】
2008010931.tif 000004
【図３】
2008010931.tif 000005
【図４】
2008010931.tif 000006
【図５】
2008010931.tif 000007
【図６】
2008010931.tif 000008